(57)【特許請求の範囲】
【請求項１】
入力画像信号のフレームから複数のサブフレームを生成し、前記入力画像信号のフレームレートを高めるフレームレート変換手段と、
サブフレームの画像信号に空間的な高周波成分を強調する強調処理を施すことにより、高域強調画像信号を生成する強調手段と、
サブフレームの画像信号に空間的な高周波成分を抑圧する抑圧処理を施すことにより、高域抑圧画像信号を生成する抑圧手段と、
前記高域強調画像信号に、画素値を規定の範囲内の値に制限する制限処理を施し、前記高域抑圧画像信号に、前記制限処理による画素値の変化量を補償する補償値を加算する補償処理を施す調整手段と、
前記制限処理が施された高域強調画像信号と、前記補償処理が施された高域抑圧画像信号とを、サブフレーム毎に交互に表示装置に出力する出力手段と、
を有し、
前記調整手段は、
サブフレームの画像信号にサブフレーム間の画素値の変化量を小さくする平滑化処理を施すことにより時間方向平滑化画像信号を生成し、
前記時間方向平滑化画像信号に前記強調処理と前記制限処理を順に施した場合における前記制限処理による画素値の変化量を、前記高域抑圧画像信号のうち動きのある領域の信号に加算する補償値とすることで、前記高域抑圧画像信号のうち動きのある領域の信号に加算する補償値が、前記制限処理による画素値の変化量より小さい値となるようにすることを特徴とする画像処理装置。
【請求項２】
サブフレームの画像信号の動きのある領域を検出する動き検出手段を更に有し、
前記調整手段は、生成された補償値のうち、前記検出手段で検出された動きのある領域の信号に加算する補償値を小さくする
ことを特徴とする請求項１に記載の画像処理装置。
【請求項３】
前記調整手段は、前記検出手段で検出された動きのある領域以外の領域である、動きのない領域の信号に加算する補償値を小さくしない
ことを特徴とする請求項２に記載の画像処理装置。
【請求項４】
前記調整手段は、生成された補償値のうち、前記検出手段で検出された動きのある領域の信号に加算する補償値を０にする
ことを特徴とする請求項２または３に記載の画像処理装置。
【請求項５】
入力画像信号のフレームから複数のサブフレームを生成し、前記入力画像信号のフレームレートを高めるフレームレート変換ステップと、
サブフレームの画像信号に空間的な高周波成分を強調する強調処理を施すことにより、高域強調画像信号を生成する強調ステップと、
サブフレームの画像信号に空間的な高周波成分を抑圧する抑圧処理を施すことにより、高域抑圧画像信号を生成する抑圧ステップと、
前記高域強調画像信号に、画素値を規定の範囲内の値に制限する制限処理を施し、前記高域抑圧画像信号に、前記制限処理による画素値の変化量を補償する補償値を加算する補償処理を施す調整ステップと、
前記制限処理が施された高域強調画像信号と、前記補償処理が施された高域抑圧画像信号とを、サブフレーム毎に交互に表示装置に出力する出力ステップと、
を有し、
前記調整ステップでは、
サブフレームの画像信号にサブフレーム間の画素値の変化量を小さくする平滑化処理を施すことにより時間方向平滑化画像信号を生成し、
前記時間方向平滑化画像信号に前記強調処理と前記制限処理を順に施した場合における前記制限処理による画素値の変化量を、前記高域抑圧画像信号のうち動きのある領域の信号に加算する補償値とすることで、前記高域抑圧画像信号のうち動きのある領域の信号に加算する補償値が、前記制限処理による画素値の変化量より小さい値となるようにすることを特徴とする画像処理装置の制御方法。
【請求項６】
サブフレームの画像信号の動きのある領域を検出する動き検出ステップを更に有し、
前記調整ステップでは、生成された補償値のうち、前記検出ステップで検出された動きのある領域の信号に加算する補償値を小さくする
ことを特徴とする請求項５に記載の画像処理装置の制御方法。
【請求項７】
前記調整ステップでは、前記検出ステップで検出された動きのある領域以外の領域である、動きのない領域の信号に加算する補償値を小さくしない
ことを特徴とする請求項６に記載の画像処理装置の制御方法。
【請求項８】
前記調整ステップでは、生成された補償値のうち、前記検出ステップで検出された動きのある領域の信号に加算する補償値を０にする
ことを特徴とする請求項６または７に記載の画像処理装置の制御方法。
【請求項９】
入力画像信号のフレームから第１及び第２サブフレームを生成し、前記入力画像信号のフレームレートを変換するフレームレート変換手段と、
第１サブフレームの画像信号から、空間的な低周波成分が高周波成分よりも多い低周波画像信号を生成する第１生成手段と、
第２サブフレームの画像信号に空間的な高周波成分を強調する強調処理を施すことにより、空間的な高周波成分が低周波成分よりも多い高周波画像信号を生成する第２生成手段と、
前記高周波画像信号に、画素値を規定の範囲内の値に制限する制限処理を施し、前記低周波画像信号に、前記制限処理による画素値の変化量を補償する補償値を加算する補償処理を施す調整手段と、
前記制限処理が施された高周波画像信号と、前記補償処理が施された低周波画像信号と
を、サブフレーム毎に交互に表示装置に出力する出力手段と、
を有し、
前記調整手段は、
サブフレームの画像信号にサブフレーム間の画素値の変化量を小さくする平滑化処理を施すことにより時間方向平滑化画像信号を生成し、
前記時間方向平滑化画像信号に前記強調処理と前記制限処理を順に施した場合における前記制限処理による画素値の変化量を、前記低周波画像信号のうち動きのある領域の信号に加算する補償値とすることで、前記低周波画像信号のうち動きのある領域の信号に加算する補償値が、前記制限処理による画素値の変化量より小さい値となるようにする
ことを特徴とする画像処理装置。
【請求項１０】
サブフレームの画像信号の動きのある領域を検出する動き検出手段を更に有し、
前記調整手段は、生成された補償値のうち、前記検出手段で検出された動きのある領域の信号に加算する補償値を小さくする
ことを特徴とする請求項９に記載の画像処理装置。
【請求項１１】
前記調整手段は、前記検出手段で検出された動きのある領域以外の領域である、動きのない領域の信号に加算する補償値を小さくしない
ことを特徴とする請求項１０に記載の画像処理装置。
【請求項１２】
前記調整手段は、生成された補償値のうち、前記検出手段で検出された動きのある領域の信号に加算する補償値を０にする
ことを特徴とする請求項１０または１１に記載の画像処理装置。
【請求項１３】
入力画像信号のフレームから第１及び第２サブフレームを生成し、前記入力画像信号のフレームレートを変換するフレームレート変換ステップと、
第１サブフレームの画像信号から、空間的な低周波成分が高周波成分よりも多い低周波画像信号を生成する第１生成ステップと、
第２サブフレームの画像信号に空間的な高周波成分を強調する強調処理を施すことにより、空間的な高周波成分が低周波成分よりも多い高周波画像信号を生成する第２生成ステップと、
前記高周波画像信号に、画素値を規定の範囲内の値に制限する制限処理を施し、前記低周波画像信号に、前記制限処理による画素値の変化量を補償する補償値を加算する補償処理を施す調整ステップと、
前記制限処理が施された高周波画像信号と、前記補償処理が施された低周波画像信号とを、サブフレーム毎に交互に表示装置に出力する出力ステップと、
を有し、
前記調整ステップでは、
サブフレームの画像信号にサブフレーム間の画素値の変化量を小さくする平滑化処理を施すことにより時間方向平滑化画像信号を生成し、
前記時間方向平滑化画像信号に前記強調処理と前記制限処理を順に施した場合における前記制限処理による画素値の変化量を、前記低周波画像信号のうち動きのある領域の信号に加算する補償値とすることで、前記低周波画像信号のうち動きのある領域の信号に加算する補償値が、前記制限処理による画素値の変化量より小さい値となるようにする
ことを特徴とする画像処理装置の制御方法。
【請求項１４】
サブフレームの画像信号の動きのある領域を検出する動き検出ステップを更に有し、
前記調整ステップでは、生成された補償値のうち、前記検出ステップで検出された動きのある領域の信号に加算する補償値を小さくする
ことを特徴とする請求項１３に記載の画像処理装置の制御方法。
【請求項１５】
前記調整ステップでは、前記検出ステップで検出された動きのある領域以外の領域である、動きのない領域の信号に加算する補償値を小さくしない
ことを特徴とする請求項１４に記載の画像処理装置の制御方法。
【請求項１６】
前記調整ステップでは、生成された補償値のうち、前記検出ステップで検出された動きのある領域の信号に加算する補償値を０にする
ことを特徴とする請求項１４または１５に記載の画像処理装置の制御方法。
【請求項１７】
入力画像信号のフレームから第１及び第２サブフレームを生成し、前記入力画像信号のフレームレートを変換するフレームレート変換手段と、
第１サブフレームの画像信号から、空間的な低周波成分が高周波成分よりも多い低周波画像信号を生成する第１生成手段と、
第２サブフレームの画像信号から、空間的な高周波成分が低周波成分よりも多い高周波画像信号を生成する第２生成手段と、
前記高周波画像信号に、画素値を規定の範囲内の値に制限する制限処理を施し、前記低周波画像信号に、前記制限処理による画素値の変化量を補償する補償値を加算する補償処理を施す調整手段と、
前記制限処理が施された高周波画像信号と、前記補償処理が施された低周波画像信号とを、サブフレーム毎に交互に表示装置に出力する出力手段と、
を有し、
前記調整手段は、
前記低周波画像信号のうち動きのない領域の信号に加算する補償値として、前記制限処理による画素値の変化量を使用し、
前記低周波画像信号のうち動きのある領域の信号に加算する補償値として、ゼロを使用する
ことを特徴とする画像処理装置。
【請求項１８】
入力画像信号のフレームから第１及び第２サブフレームを生成し、前記入力画像信号のフレームレートを変換するフレームレート変換ステップと、
第１サブフレームの画像信号から、空間的な低周波成分が高周波成分よりも多い低周波画像信号を生成する第１生成ステップと、
第２サブフレームの画像信号から、空間的な高周波成分が低周波成分よりも多い高周波画像信号を生成する第２生成ステップと、
前記高周波画像信号に、画素値を規定の範囲内の値に制限する制限処理を施し、前記低周波画像信号に、前記制限処理による画素値の変化量を補償する補償値を加算する補償処理を施す調整ステップと、
前記制限処理が施された高周波画像信号と、前記補償処理が施された低周波画像信号とを、サブフレーム毎に交互に表示装置に出力する出力ステップと、
を有し、
前記調整ステップでは、
前記低周波画像信号のうち動きのない領域の信号に加算する補償値として、前記制限処理による画素値の変化量を使用し、
前記低周波画像信号のうち動きのある領域の信号に加算する補償値として、ゼロを使用する
ことを特徴とする画像処理装置の制御方法。
【発明の詳細な説明】
【技術分野】
【０００１】
本発明は、画像処理装置及びその制御方法に関する。
【背景技術】
【０００２】
入力画像信号のフレームレートを２倍に高め、高域強調サブフレームと高域抑圧サブフレームを交互に出力することにより、フリッカを抑制し動画視認性を改善する技術がある。高域強調サブフレームは、空間的な高周波成分が強調されたサブフレームであり、高域抑圧サブフレームは、空間的な高周波成分が抑圧されたサブフレームである。従来、高域強調サブフレームの画素値が規定の範囲外の値となる場合に、該画素値を規定の範囲内の値に制限する処理方法が提案されている（例えば、特許文献１，２参照）。また、上記制限による画素値の変化量を高域抑圧サブフレームの画素値に加算する処理方法が提案されている（例えば、特許文献３参照）。後者の方法によれば、高域強調サブフレームの画像信号（高域強調画像信号）と高域抑圧サブフレームの画像信号（高域抑圧画像信号）の平均画像信号を、入力画像信号と等しくすることができる。そのため、入力画像信号に基づく画像と等しく、ひずみのない静止画像を表示できる。
【先行技術文献】
【特許文献】
【０００３】
【特許文献１】特開２００６−１８４８９６号公報
【特許文献２】特開２００６−１９５４０５号公報
【特許文献３】米国特許出願公開第２００６／０２２７２４９号明細書
【発明の概要】
【発明が解決しようとする課題】
【０００４】
しかしながら、特許文献１，２に開示の技術では、高域強調フレームの画素値が制限され、当該制限による画素値の変化量が切り捨てられる。そのため、高域強調画像信号と高域抑圧画像信号の平均画像信号が入力画像信号と等しくならず、表示画像にひずみが生じるという課題がある。
また、特許文献３に開示の技術では、高域強調画像信号と高域抑圧画像信号の平均画像信号を入力画像信号と等しくできるため、ひずみのない静止画像を表示することができる。しかし、高域強調サブフレームの画素値を制限したことによる画素値の変化量が高域抑圧フレームの画素値に加算される、すなわち高域抑圧画像信号に高域成分が加算されるため、高域抑圧フレームの高域抑圧効果が低減してしまう。その結果、動画視認性の改善効果が低減してしまう。
【０００５】
本発明は、高周波成分が強調された後の画素値が規定の範囲外の値となる場合においても、動画視認性を十分に改善することのできる技術を提供することを目的とする。
【課題を解決するための手段】
【０００６】
本発明の第１の態様は、
入力画像信号のフレームから複数のサブフレームを生成し、前記入力画像信号のフレームレートを高めるフレームレート変換手段と、
サブフレームの画像信号に空間的な高周波成分を強調する強調処理を施すことにより、高域強調画像信号を生成する強調手段と、
サブフレームの画像信号に空間的な高周波成分を抑圧する抑圧処理を施すことにより、高域抑圧画像信号を生成する抑圧手段と、
前記高域強調画像信号に、画素値を規定の範囲内の値に制限する制限処理を施し、前記高域抑圧画像信号に、前記制限処理による画素値の変化量を補償する補償値を加算する補償処理を施す調整手段と、
前記制限処理が施された高域強調画像信号と、前記補償処理が施された高域抑圧画像信号とを、サブフレーム毎に交互に表示装置に出力する出力手段と、
を有し、
前記調整手段は、
サブフレームの画像信号にサブフレーム間の画素値の変化量を小さくする平滑化処理を施すことにより時間方向平滑化画像信号を生成し、
前記時間方向平滑化画像信号に前記強調処理と前記制限処理を順に施した場合における前記制限処理による画素値の変化量を、前記高域抑圧画像信号のうち動きのある領域の信号に加算する補償値とすることで、前記高域抑圧画像信号のうち動きのある領域の信号に加算する補償値が、前記制限処理による画素値の変化量より小さい値となるようにすることを特徴とする画像処理装置である。
本発明の第２の態様は、
入力画像信号のフレームから第１及び第２サブフレームを生成し、前記入力画像信号のフレームレートを変換するフレームレート変換手段と、
第１サブフレームの画像信号から、空間的な低周波成分が高周波成分よりも多い低周波画像信号を生成する第１生成手段と、
第２サブフレームの画像信号に空間的な高周波成分を強調する強調処理を施すことにより、空間的な高周波成分が低周波成分よりも多い高周波画像信号を生成する第２生成手段と、
前記高周波画像信号に、画素値を規定の範囲内の値に制限する制限処理を施し、前記低周波画像信号に、前記制限処理による画素値の変化量を補償する補償値を加算する補償処理を施す調整手段と、
前記制限処理が施された高周波画像信号と、前記補償処理が施された低周波画像信号とを、サブフレーム毎に交互に表示装置に出力する出力手段と、
を有し、
前記調整手段は、
サブフレームの画像信号にサブフレーム間の画素値の変化量を小さくする平滑化処理を施すことにより時間方向平滑化画像信号を生成し、
前記時間方向平滑化画像信号に前記強調処理と前記制限処理を順に施した場合における前記制限処理による画素値の変化量を、前記低周波画像信号のうち動きのある領域の信号に加算する補償値とすることで、前記低周波画像信号のうち動きのある領域の信号に加算する補償値が、前記制限処理による画素値の変化量より小さい値となるようにする
ことを特徴とする画像処理装置である。
本発明の第３の態様は、
入力画像信号のフレームから第１及び第２サブフレームを生成し、前記入力画像信号のフレームレートを変換するフレームレート変換手段と、
第１サブフレームの画像信号から、空間的な低周波成分が高周波成分よりも多い低周波画像信号を生成する第１生成手段と、
第２サブフレームの画像信号から、空間的な高周波成分が低周波成分よりも多い高周波画像信号を生成する第２生成手段と、
前記高周波画像信号に、画素値を規定の範囲内の値に制限する制限処理を施し、前記低周波画像信号に、前記制限処理による画素値の変化量を補償する補償値を加算する補償処理を施す調整手段と、
前記制限処理が施された高周波画像信号と、前記補償処理が施された低周波画像信号とを、サブフレーム毎に交互に表示装置に出力する出力手段と、
を有し、
前記調整手段は、
前記低周波画像信号のうち動きのない領域の信号に加算する補償値として、前記制限処理による画素値の変化量を使用し、
前記低周波画像信号のうち動きのある領域の信号に加算する補償値として、ゼロを使用する
ことを特徴とする画像処理装置である。
【０００７】
本発明の第４の態様は、
入力画像信号のフレームから複数のサブフレームを生成し、前記入力画像信号のフレームレートを高めるフレームレート変換ステップと、
サブフレームの画像信号に空間的な高周波成分を強調する強調処理を施すことにより、高域強調画像信号を生成する強調ステップと、
サブフレームの画像信号に空間的な高周波成分を抑圧する抑圧処理を施すことにより、高域抑圧画像信号を生成する抑圧ステップと、
前記高域強調画像信号に、画素値を規定の範囲内の値に制限する制限処理を施し、前記高域抑圧画像信号に、前記制限処理による画素値の変化量を補償する補償値を加算する補償処理を施す調整ステップと、
前記制限処理が施された高域強調画像信号と、前記補償処理が施された高域抑圧画像信号とを、サブフレーム毎に交互に表示装置に出力する出力ステップと、
を有し、
前記調整ステップでは、
サブフレームの画像信号にサブフレーム間の画素値の変化量を小さくする平滑化処理を施すことにより時間方向平滑化画像信号を生成し、
前記時間方向平滑化画像信号に前記強調処理と前記制限処理を順に施した場合における前記制限処理による画素値の変化量を、前記高域抑圧画像信号のうち動きのある領域の信号に加算する補償値とすることで、前記高域抑圧画像信号のうち動きのある領域の信号に加算する補償値が、前記制限処理による画素値の変化量より小さい値となるようにすることを特徴とする画像処理装置の制御方法である。
本発明の第５の態様は、
入力画像信号のフレームから第１及び第２サブフレームを生成し、前記入力画像信号のフレームレートを変換するフレームレート変換ステップと、
第１サブフレームの画像信号から、空間的な低周波成分が高周波成分よりも多い低周波画像信号を生成する第１生成ステップと、
第２サブフレームの画像信号に空間的な高周波成分を強調する強調処理を施すことにより、空間的な高周波成分が低周波成分よりも多い高周波画像信号を生成する第２生成ステップと、
前記高周波画像信号に、画素値を規定の範囲内の値に制限する制限処理を施し、前記低
周波画像信号に、前記制限処理による画素値の変化量を補償する補償値を加算する補償処理を施す調整ステップと、
前記制限処理が施された高周波画像信号と、前記補償処理が施された低周波画像信号とを、サブフレーム毎に交互に表示装置に出力する出力ステップと、
を有し、
前記調整ステップでは、
サブフレームの画像信号にサブフレーム間の画素値の変化量を小さくする平滑化処理を施すことにより時間方向平滑化画像信号を生成し、
前記時間方向平滑化画像信号に前記強調処理と前記制限処理を順に施した場合における前記制限処理による画素値の変化量を、前記低周波画像信号のうち動きのある領域の信号に加算する補償値とすることで、前記低周波画像信号のうち動きのある領域の信号に加算する補償値が、前記制限処理による画素値の変化量より小さい値となるようにする
ことを特徴とする画像処理装置の制御方法である。
本発明の第６の態様は、
入力画像信号のフレームから第１及び第２サブフレームを生成し、前記入力画像信号のフレームレートを変換するフレームレート変換ステップと、
第１サブフレームの画像信号から、空間的な低周波成分が高周波成分よりも多い低周波画像信号を生成する第１生成ステップと、
第２サブフレームの画像信号から、空間的な高周波成分が低周波成分よりも多い高周波画像信号を生成する第２生成ステップと、
前記高周波画像信号に、画素値を規定の範囲内の値に制限する制限処理を施し、前記低周波画像信号に、前記制限処理による画素値の変化量を補償する補償値を加算する補償処理を施す調整ステップと、
前記制限処理が施された高周波画像信号と、前記補償処理が施された低周波画像信号とを、サブフレーム毎に交互に表示装置に出力する出力ステップと、
を有し、
前記調整ステップでは、
前記低周波画像信号のうち動きのない領域の信号に加算する補償値として、前記制限処理による画素値の変化量を使用し、
前記低周波画像信号のうち動きのある領域の信号に加算する補償値として、ゼロを使用する
ことを特徴とする画像処理装置の制御方法である。
【発明の効果】
【０００８】
本発明によれば、高周波成分が強調された後の画素値が規定の範囲外の値となる場合においても、動画視認性を十分に改善することができる。
【図面の簡単な説明】
【０００９】
【図１】実施例１に係る画像処理装置の機能構成図の一例を示す図
【図２】実施例１に係る時間方向フィルタ部の機能構成図の一例を示す図
【図３】実施例１に係る高域強調部の構成の一例を説明する図
【図４】実施例１に係る画像処理を説明する図
【図５】実施例２に係る画像処理装置の機能構成図の一例を示す図
【図６】実施例２に係る補償抑制制御部の機能構成図の一例を示す図
【図７】実施例２に係る画像処理を説明する図
【図８】実施例３に係る画像処理装置の機能構成図の一例を示す図
【図９】実施例３に係る補償抑制制御部の機能構成図の一例を示す図
【図１０】実施例３に係る静止エッジ検出部の機能構成図の一例を示す図
【図１１】実施例３に係るタップ制御ＬＰＦの機能構成図の一例を示す図
【図１２】実施例３に係る抑制領域判定の動作を説明する図
【図１３】実施例３に係る画像処理を説明する図
【発明を実施するための形態】
【００１０】
＜実施例１＞
以下、本発明の実施例１に係る画像処理装置及びその制御方法について図面を参照して説明する。
図１は、実施例１に係る画像処理装置の機能構成の一例を示す図である。
実施例１に係る画像処理装置は、フレームコンバータ部１０１、時間方向フィルタ部１０２、第１選択部１０３、高域抑圧部１０４、高域強調部１０５、リミット部１０６、加算部１０７、第２選択部１０８などを有する。
【００１１】
フレームコンバータ部１０１は、外部から入力された画像信号（入力画像信号）のフレームから複数のサブフレームを生成し、入力画像信号のフレームレートを高める（フレームレート変換）。具体的には、フレームコンバータ部１０１は、入力画像信号の１フレーム期間を２つのサブフレーム（第１サブフレームと、第１サブフレームの次の第２サブフレーム）の期間に分割することにより、入力画像信号のフレームレートを２倍に高める。そして、入力画像信号のフレーム毎に、そのフレームの画像信号を、サブフレームの画像信号として、該フレームの期間を分割して得られた２つのサブフレームの期間にそれぞれ出力する。各サブフレームの画像信号は、時間方向フィルタ部１０２と第１選択部１０３に入力される。また、フレームコンバータ部１０１は、出力した画像信号が第１サブフレームの画像信号か第２サブフレームの画像信号かを表すサブフレーム判別信号を出力する。サブフレーム判別信号は、第１選択部１０３と第２選択部１０８に入力される。
【００１２】
時間方向フィルタ部１０２は、入力されたサブフレームの画像信号に、サブフレーム間の画素値の変化量を小さくする時間方向フィルタ処理（平滑化処理）を施すことにより、時間方向平滑化画像信号を生成する。そして、時間方向フィルタ部１０２は、生成した時間方向平滑化画像信号を第１選択部に出力する。
図２に、時間方向フィルタ部１０２の機能構成の一例を示す。時間方向フィルタ部１０２は、フレーム遅延部１０９、平均画像生成部１１０などを有する。フレーム遅延部１０９は入力された画像信号を１サブフレーム期間遅延させて平均画像生成部１１０に出力する。平均画像生成部１１０は、画素毎に、フレームコンバータ部１０１から入力された画像信号と、フレーム遅延部１０９から入力された画像信号の平均値を算出することで、２つの画像信号の平均画像信号を生成し、時間方向平滑化画像信号として出力する。
なお、本実施例では、時間方向平滑化画像が１サブフレーム期間離れた２つのサブフレームの画像信号の平均画像信号であるものとしたが、時間方向平滑化画像はこれに限らない。例えば、時間方向平滑化画像信号は、４つのサブフレームの画像信号の平均画像信号であってもよいし、複数のサブフレームの画像信号を重み付け合成して生成した画像信号であってもよい。時間方向フィルタ部１０２は、ＩＩＲフィルタで構成されていてもよい。
【００１３】
第１選択部１０３は、フレームコンバータ部１０１から出力されたサブフレーム判別信号に基づき、第１サブフレームの画像信号として時間方向平滑化画像信号を選択して出力する。また、第１選択部１０３は、第２サブフレームの画像信号としてフレームコンバータ部１０１から出力された画像信号を選択して出力する。
【００１４】
高域抑圧部１０４は、サブフレームの画像信号（第１選択部１０３で選択された画像信号）に空間的な高周波成分を抑圧するフィルタ処理（抑圧処理）を施すことにより、高域抑圧画像信号を生成し、高域強調部１０５及び加算部１０７に出力する（第２生成）。なお、高域抑圧画像信号は、空間的な低周波成分が高周波成分よりも多い低周波画像信号と言い換えることができる。また、高域抑圧部１０４の代わりに、低周波成分を通過させるローパスフィルタ処理部を用いてもよい。
【００１５】
高域強調部１０５は、サブフレームの画像信号（第１選択部１０３で選択された画像信号）に空間的な高周波成分を強調する強調処理を施すことにより、高域強調画像信号を生成し、リミット部１０６に出力する（第１生成）。なお、高域強調画像信号は、空間的な高周波成分が低周波成分よりも多い高周波画像信号と言い換えることができる。また、高
域強調部１０５の代わりに、高周波成分を通過させるハイパスフィルタ処理部を用いてもよい。
図３に、高域強調部１０５の構成の一例を説明する図を示す。高域強調部１０５は、入力された画像信号の画素値を２倍する。そして、高域強調部１０５は、画素値が２倍にされた画像信号から、高域抑圧部１０４から出力された高域抑圧画像信号を減算することにより、高域強調画像信号を生成する。
なお、高域強調部１０５の構成は図３に示す構成に限らない。例えば、高域強調部１０５は、画像信号に高域強調フィルタを用いたフィルタ処理を施すことにより、高域強調画像信号を生成してもよい。
【００１６】
高域強調部１０５の構成から分かるように、高域強調画像信号の画素値は規定の範囲外の値となることがある。具体的には、高域強調画像信号の画素値は、規定の範囲の最大値より大きな値、または、規定の範囲の最小値より小さな値となることがある。
リミット部１０６は、高域強調部１０５から出力された高域強調画像信号に、画素値を規定の範囲内の値に制限する制限処理を施し、該制限処理が施された高域強調画像信号を第２選択部に出力する。
また、リミット部１０６は、上記制限処理による画素値の変化量を補償する補償値を生成し、加算部１０７に出力する。本実施例では、制限処理による画素値の変化量（切り捨てられた分の画素値）が、補償値として加算部１０７に出力される。例えば、画像信号が８ビットの信号で、画素値（階調値）の上記規定の範囲が０〜２５５の範囲であった場合には、高域強調部１０５から出力された高域強調画像信号の画素値は、０〜２５５の範囲内の値に制限される。高域強調部１０５から出力された高域強調画像信号の画素値が３００であった場合には、該画素値は２５５に制限され、リミット値は４５となる。
【００１７】
加算部１０７は、高域抑圧部１０４から出力された高域抑圧画像信号に、補償値を加算する補償処理を施し、該補償処理が施された高域抑圧画像信号を第２選択部１０８に出力する。本実施例では、高域抑圧部１０４から出力された高域抑圧画像信号に、リミット部１０６から出力されたリミット値が加算され、第２選択部１０８に出力される。
このように、本実施例では、リミット部１０５と加算部１０７により、高域強調画像信号の画素値と高域抑圧画像信号の画素値が調整される。
【００１８】
第２選択部１０８は、制限処理が施された高域強調画像信号（リミット部１０６から出力された画像信号）と、補償処理が施された高域抑圧画像信号（加算部１０７から出力された画像信号）とを、サブフレーム毎に交互に表示装置に出力する。具体的には、第２選択部１０８は、フレームコンバータ部１０１から出力されるサブフレーム判別信号に基づき、第１サブフレームでは、加算部１０７から出力された画像信号を選択して、表示装置に出力する。また、第２選択部１０８は、第２サブフレームでは、リミット部１０６から出力された画像信号を選択して、表示装置に出力する。
【００１９】
上述したように、第１選択部１０３は、第１サブフレームでは時間方向平滑化画像信号を、第２サブフレームではフレームコンバータ部１０１から出力された画像信号を選択して出力する。そのため、本実施例では、フレームコンバータ部１０１から出力された画像信号に強調処理と制限処理を順に施すことにより、表示装置に出力する高域強調画像信号が生成される。また、時間方向平滑化画像信号に抑圧処理と補償処理を順に施すことにより、表示装置に出力する高域抑制画像信号が生成される。このとき、補償処理で使用する補償値は、第１選択部１０３から出力された時間方向平滑化画像信号を用いて生成される。具体的には、時間方向平滑化画像信号に強調処理と制限処理を順に施した場合の、該制限処理による画素値の変化量が、補償値とされる。
【００２０】
図４に、フレーム間で動きのある画像領域に対する、従来の画像処理と実施例１に係る
画像処理の比較の一例を示す。図４において、横軸は画素位置を表し、縦軸は画素値を表す。図４は、前フレームから現フレームにかけて、右（視聴者から見て左）へ動く画像領域の信号に対する画像処理の様子を示している。
【００２１】
従来の画像処理では、入力画像信号に抑圧処理と補償処理を順に施すことにより、表示装置に出力する高域抑圧画像信号が生成される。このとき、補償処理では、表示装置に出力する高域強調画像信号を生成する際に行われた制限処理による画素値の変化量が、補償値として用いられる。即ち、従来の画像処理では、抑圧処理が施された入力画像信号に、表示装置に出力する高域強調画像信号を生成する際に行われた制限処理による画素値の変化量を加算することにより、表示装置に出力する高域抑制画像信号が生成される。そのため、表示装置に出力する高域抑圧画像信号の高域成分が十分に抑圧されないことがある。その結果、動きのある領域を追従視したとき、２重像が視認されてしまう。
【００２２】
実施例１では、表示装置に出力する高域抑制画像信号を生成する際に行われる抑圧処理で使用する補償値が、時間方向平滑化画像信号を用いて生成される。具体的には、時間方向平滑化画像信号に強調処理と制限処理を順に施した場合の、該制限処理による画素値の変化量が、補償値とされる。時間方向平滑化画像信号は、動きのある領域における、１つ前のサブフレームからの画素値の変化量が小さくされた信号である。そのため、時間方向平滑化画像信号から生成される補償値（動きのある領域の信号に加算する補償値）は、表示装置に出力する高域強調画像信号を生成する際に行われた制限処理による画素値の変化量より小さい値となる。そして、動きのある領域では変化量の補償が抑制され、動きのある領域における空間的な高周波成分が抑圧された高域抑圧画像信号が得られる。その結果、１つ前のサブフレームから画素値が変化した領域、すなわち、動きのある領域で２重像が視認されることが抑制され、動画視認性が改善する。図４に示す画像信号入力の例では、正側の補償値の総量はゼロとなり、負側の補償値の総量は変化しないので、動きのある領域での補償はおよそ半分に抑圧（抑制）される。画像のパターンに依存するが、本実施例の時間方向平滑化画像信号から補償値を生成した場合、動きのある領域での補償はおよそ半分以下に抑圧される。
なお、動きのない領域では、時間方向平滑化画像信号は、フレームコンバータ部１０１から出力された画像信号と等しくなる。そのため、動きのない領域では、表示装置に出力する高域抑制画像信号として、図４の従来例に記載の処理で得られる高域抑制画像信号（表示装置に出力する高域抑制画像信号）と同じ信号が得られる。また、表示装置に出力される、動きのない領域の高域強調画像信号は、動きのある領域と同様に、フレームコンバータ部１０１から出力された画像信号に強調処理及びリミット処理が施された画像信号となる。即ち、動きのない領域では、表示装置に出力する高域抑制画像信号及び高域強調画像信号として、図４の従来例に記載の処理で得られる信号と同じ信号が得られる。このため、動きのない領域では、従来どおり高域強調画像信号と高域抑圧画像信号の平均画像信号が、入力画像信号と等しくされる。これにより、入力画像信号に基づく画像と等しく、ひずみのない静止画像が表示できる。
【００２３】
以上述べたように、本実施例によれば、高域抑圧画像信号のうち動きのある領域の信号に加算する補償値が、表示装置に出力する高域強調画像信号を生成する際に行われた制限処理による画素値の変化量より小さい値となるように、補償値が生成される。具体的には、時間方向平滑化画像信号を用いて、補償値が生成される。それにより、高周波成分が強調された後の画素値が規定の範囲外の値となる場合においても、動画視認性を十分に改善することができる。
なお、本実施例では、時間方向平滑化画像信号に抑圧処理と補償処理を順に施すことにより、表示装置に出力する高域抑圧画像信号が生成されるものとしたが、これに限らない。例えば、入力画像信号に抑圧処理と補償処理を順に施すことにより、表示装置に出力する高域抑圧画像信号が生成されてもよい。時間方向平滑化画像信号を用いて補償値が生成
されれば、動きのある領域で補償処理による画素値の補償が抑制されるため、動画視認性を十分に改善することができる。
【００２４】
＜実施例２＞
以下、本発明の実施例２に係る画像処理装置およびその制御方法について図面を参照して説明する。実施例１では、時間方向平滑化画像を用いて補正値を生成することにより、動きのある領域での変化量の補償を抑制し、動画視認性を改善する方法について説明した。本実施例では、画像信号の動き情報に基づいて、動きのある領域での変化量の補償を抑制する方法について説明する。
【００２５】
図５は、実施例２に係る画像処理装置の機能構成図の一例を示す図である。画像処置装置は、フレームコンバータ部１０１、高域抑圧部１０４、高域強調部１０５、リミット部１０６、補償抑制制御部２１１、加算部１０７、選択部２０８などを有する。
フレームコンバータ部１０１、高域抑圧部１０４、高域強調部１０５、リミット部１０６、加算部１０７の機能は実施例１と同じである。
但し、本実施例では、常に、強調処理が施された入力画像信号に制限処理を施した際の画素値の変化量が補償値とされる。具体的には、高域強調部１０５には、サブフレームの画像信号として、常に、入力画像信号が入力される。そして、リミット部１０６において、強調処理が施された入力画像信号に制限処理が施され、該制限処理による画素値の変化量が補償値とされる。
【００２６】
補償抑制制御部２１１は、画像信号の動き情報に基づいて、リミット部１０６から出力される補償値を補正し、加算部１０７に出力する。
図６に、実施例２に係る補償抑制制御部２１１の機能構成の一例を示す。補償抑制制御部２１１は、フレーム遅延部２１２、フレーム差分演算部２１３、ＬＰＦ部２１４、抑制領域判定部２１５、乗算部２１６などを有する。
【００２７】
フレーム遅延部２１２、フレーム差分演算部２１３、ＬＰＦ部２１４、及び、抑制領域判定部２１５により、サブフレームの画像信号の動きのある領域が検出される。
フレーム遅延部２１２は、入力されたサブフレームの画像信号を１サブフレーム期間遅延させて出力する。
フレーム差分演算部２１３は、画素毎に、フレームコンバータ部１０１から入力された画像信号の画素値と、フレーム遅延部２１２から入力された画像信号の画素値との差分の絶対値を算出する。そして、フレーム差分演算部２１３は、画素毎の上記差分の絶対値を、フレーム差分信号としてＬＰＦ部２１４に出力する。
ＬＰＦ部２１４は、フレーム差分演算部２１３で生成されたフレーム差分信号に抑圧処理を施し、該抑圧処理が施されたフレーム差分信号を高域抑圧フレーム差分信号として抑制領域判定部２１５に出力する。
抑制領域判定部２１５は、ＬＰＦ部２１４で生成された高域抑圧フレーム差分信号の各画素の値を判定閾値（所定の閾値）と比較する。そして、抑制領域判定部２１５は、高域抑圧フレーム差分信号のうち、値が判定閾値以上の領域を、動きのある領域（抑制領域）と判定し、抑制領域以外の領域（値が判定閾値未満の領域）を動きのない領域（非抑制領域）と判定する。そして、抑制領域判定部２１５は、抑制領域と判定された画素の抑制制御信号として０を、非抑制領域と判定された画素の抑制制御信号として１を、乗算部２１６に出力する。上記判定閾値として、例えば、画素値の範囲（規定の範囲）の５％程度の値が用いられる。なお、判定閾値は、この値に限らない。判定閾値は、変更可能であってもよく、目的に応じてユーザにより適宜設定されてもよい。
【００２８】
乗算部２１６は、リミット部１０６で生成された補償値のうち、抑制領域判定部２１５で検出された抑制領域の信号に加算する補償値を小さくする。具体的には、乗算部２１６
は、リミット部１０６で生成された補償値を、抑制領域判定部２１５で生成された抑制制御信号を乗算して、加算部１０７に出力する。動きのある領域（抑制領域）では、抑制制御信号の値は０であるため、リミット部１０６で生成された補償値は０にされて、加算部１０７に出力される。動きのない領域（非抑制領域）では、抑制制御信号の値は１であるため、リミット部１０６で生成された補償値はそのまま（小さくされることなく）加算部１０７に出力される。
なお、本実施例では、抑制制御信号を０と１の２値の信号としたが、複数の判定閾値を用いることで、抑制制御信号を３値以上の信号としてもよい。この場合、例えば、抑制制御信号を０〜１の３値以上の信号とすることにより、乗算部２１６から出力される補償値を０〜リミット部１０６で生成された補償値の３値以上の値の間で制御することができる。
なお、本実施例では、リミット部１０６で生成された補償値のうち、抑制領域に加算する補償値を０にする構成としたが、これに限らない。リミット部１０６で生成された補償値のうち、抑制領域に加算する補償値が小さくされればよい。非抑制領域と抑制領域の境界から抑制領域の内側に向かうにつれ、補償値の低減量が大きくされてもよい。
【００２９】
選択部２０８は、フレームコンバータ部１０１から出力されるサブフレーム判別信号に基づき、第１サブフレームでは、リミット部１０６から出力された画像信号を選択して、表示装置に出力する。また、選択部２０８は、第２サブフレームでは、加算部１０７から出力された画像信号を選択して、表示装置に出力する。
【００３０】
図７に、フレーム間で動きのある画像領域に対する、従来の画像処理と実施例２に係る画像処理の比較の一例を示す。図７において、横軸は画素位置を表し、縦軸は画素値を表す。図７は、図４と同様に、前フレームから現フレームにかけて、右（視聴者から見て左）へ動く画像領域の信号に対する画像処理の様子を示している。
実施例１で述べたとおり、従来の画像処理では、表示装置に出力する高域抑圧画像信号の高域成分が十分に抑圧されないことがある。そのため、動きのある領域を追従視したとき、２重像が視認されてしまう。
【００３１】
実施例２では、画素毎に、連続する２つのサブフレームの差分の絶対値が算出され、その算出結果に基づいて動きのある領域（抑制領域）が検出される。そして、生成された補償値のうち、抑制領域に加算する補償値が小さくされる（０とされる）。そのため、動きのある領域では変化量の補償が抑制され、動きのある領域における空間的な高周波成分が抑圧された高域抑圧画像信号が得られる。その結果、１つ前のサブフレームから画素値が変化した領域、すなわち、動きのある領域で２重像が視認されることが抑制され、動画視認性が改善する。
なお、動きのない領域は抑制領域として検出されないので、動きのない領域に対しては、補償が抑制されることはなく、従来例と同様の処理が施される。このため、動きのない静止領域では、従来どおり高域強調画像信号と高域抑圧画像信号の平均画像信号が、入力画像信号と等しくされる。これにより、入力画像信号に基づく画像と等しく、ひずみのない静止画像が表示できる。
【００３２】
以上述べたように、本実施例によれば、強調処理が施された入力画像信号に制限処理を施した際の画素値の変化量（即ち、表示装置に出力する高域強調画像信号を生成する際に行われた制限処理による画素値の変化量）が補償値とされる。そして、補償値のうち、動きのある領域の信号に加算する補償値が小さくされる。それにより、高周波成分が強調された後の画素値が規定の範囲外の値となる場合においても、動画視認性を十分に改善することができる。
【００３３】
＜実施例３＞
以下、本発明の実施例３に係る画像処理装置及びその制御方法について図面を参照して説明する。
図８は、実施例３に係る画像処理装置の機能構成の一例を示す図である。
実施例３に係る画像処理装置は、フレームコンバータ部１０１、時間方向フィルタ部１０２、第１選択部１０３、高域抑圧部１０４、高域強調部１０５、リミット部１０６、補償抑制制御部３１１、加算部１０７、第２選択部１０８などを有する。
フレームコンバータ部１０１、時間方向フィルタ部１０２、第１選択部１０３、高域抑圧部１０４、高域強調部１０５、リミット部１０６、加算部１０７、第２選択部１０８の機能は実施例１と同じである。
【００３４】
補償抑制制御部３１１は、画像信号の動き情報に基づいて、リミット部１０６から出力される補償値を補正し、加算部１０７に出力する。
図９に、実施例３に係る補償抑制制御部３１１の機能構成の一例を示す。補償抑制制御部３１１は、フレーム遅延部２１２、フレーム差分演算部２１３、静止エッジ検出部３１７、タップ制御ＬＰＦ部３１４、抑制領域判定部２１５、乗算部２１６などを有する。フレーム遅延部２１２、フレーム差分演算部２１３、抑制領域判定部２１５、乗算部２１６の機能は実施例２と同じである。
【００３５】
フレーム遅延部２１２、フレーム差分演算部２１３、静止エッジ検出部３１７、タップ制御ＬＰＦ部３１４、及び、抑制領域判定部２１５により、サブフレームの画像信号の動きのある領域が検出される。
静止エッジ検出部３１７は、フレーム差分演算部２１３で生成されたフレーム差分信号、フレームコンバータ部１０１から入力された画像信号、フレーム遅延部２１２から入力された画像信号を用いて、動きのないエッジ（静止エッジ）を検出する。そして、静止エッジ検出部３１７は、検出結果を静止エッジ検出信号としてタップ制御ＬＰＦ部３１４に出力する。
図１０に、実施例３に係る静止エッジ検出部３１７の機能構成の一例を示す。静止エッジ検出部３１７は、静止画素検出部３１８、第１エッジ検出部３１９、第２エッジ検出部３２０、共通エッジ検出部３２１、静止画素隣接エッジ検出部３２２などを有する。
静止画素検出部３１８は、画素毎に、フレーム差分信号を静止画素検出閾値（所定の閾値）と比較する。そして、静止画素検出部３１８は、フレーム差分信号のうち、値が静止画素検出閾値未満の画素を、静止画素（動きのない画素）として検出する。上記静止画素検出閾値として、例えば、画素値の範囲（規定の範囲）の１％程度の値が用いられる。なお、静止画素判定閾値は、この値に限らない。静止画素判定閾値は、変更可能であってもよく、目的に応じてユーザにより設定されてもよい。
第１エッジ検出部３１９は、フレームコンバータ部１０１から入力された画像信号から高周波成分（エッジ成分）を抽出し、第１エッジ信号として共通エッジ検出部３２１に出力する。
第２エッジ検出部３２０は、フレーム遅延部２１２から入力された画像信号（フレームコンバータ部１０１から入力された画像信号の１サブフレーム前の画像信号）から高周波成分（エッジ成分）を抽出し、第２エッジ信号として共通エッジ検出部３２１に出力する。第１エッジ検出部３１９と第２エッジ検出部３２０の処理内容は同じであってもよいし、異なっていてもよい。
共通エッジ検出部３２１は、第１エッジ検出部３１９で生成された第１エッジ信号と、第２エッジ検出部３２０で生成された第２エッジ信号を比較する。そして、共通エッジ検出部３２１は、同符号で、かつ双方の信号値の大きさが所定値以上の画素を共通エッジ画素として検出する。
静止画素隣接エッジ検出部３２２は、静止画素検出部３１８で検出された静止画素に隣接する共通エッジ画素を静止エッジ画素として検出し、検出結果を静止エッジ検出信号として出力する。
【００３６】
タップ制御ＬＰＦ部３１４は、静止エッジ検出信号に基づいて、フレーム差分信号に抑圧処理を施し、高域抑圧フレーム差分信号として抑制領域判定部２１５に出力する。具体的には、タップ制御ＬＰＦ部３１４は、画素毎に、その画素のフレーム差分信号に、該画素に対して静止エッジと判定された画素よりも外側に位置する画素の影響を除外した抑圧処理を施す。
【００３７】
タップ制御ＬＰＦ部３１４は、例えば、図１１に示すようなフィルタにより実現できる。
図１１において、ｄ（ｘ）は画素ｘのフレーム差分信号の値、ｅ（ｘ）は画素ｘの静止エッジ検出信号の値である。ｘ＝０の画素は処理対象の画素であり、ｘ＝ｎ（ｎ＝−２，−１，１，２）の画素はｘ＝０の画素のｎ個となりの画素である。具体的には、ｘ＝−１の画素は、ｘ＝０の画素に対し１画素分だけ所定方向側（例えば左側）に位置する画素であり、ｘ＝−２の画素は、ｘ＝０の画素に対し２画素分だけ所定方向側に位置する画素である。ｘ＝１の画素は、ｘ＝０の画素に対し１画素分だけ所定方向の反対側（例えば右側）に位置する画素であり、ｘ＝−２の画素は、ｘ＝０の画素に対し２画素分だけ所定方向の反対側に位置する画素である。Ｃ（０），Ｃ（１），Ｃ（２）は、フィルタ係数（フィルタタップの係数）である。ｍ（ｘ）は、画素ｘのフレーム差分信号の値にフィルタ係数を乗算（重み付け）した値である。ｌｐｆ（０）は、フィルタの出力値である。また、本実施例では、静止エッジ検出信号は、静止エッジの画素に対して１となり、静止エッジの画素以外の画素に対して０となる信号であるものとする。
本実施例では、フレーム差分信号と静止エッジ検出信号は画素毎に順番に入力される。例えば、画像のライン毎に、画像の最も左側の画素の信号から順番に入力される。そのため、遅延回路（図中「遅延」）を用いることで、所望の画素の信号を取り出すことができる。
【００３８】
タップ制御ＬＰＦ部３１４は、静止エッジ検出信号に基づいてフィルタ係数を制御し、画素毎にフィルタ処理をする。具体的には、タップ制御ＬＰＦ部３１４は、処理対象の画素に対して静止エッジと判定された画素よりも外側に位置する画素のフレーム差分信号に乗算（重み付け）するフィルタ係数を０にする。それにより、処理対象の画素に対して静止エッジと判定された画素よりも外側に位置する画素の影響が除外される。例えば、図１１において、ｅ（１）の値が１で、ｅ（２），ｅ（０），ｅ（−１），ｅ（−２）の値が０の場合には、ｄ（２）とｄ（１）に重み付けするフィルタ係数が０となり、フィルタの出力値は式１によって得られる値となる。
出力値＝ｃ（０）×ｄ（０）＋ｃ（１）×ｄ（−１）＋ｃ（２）×ｄ（−２）
・・・（式１）
【００３９】
このように、処理対象の画素に対して静止エッジと判定された画素よりも外側に位置する画素（上記の例では、ｄ（１），ｄ（２）の画素）の値が除外されて、フィルタの出力値が算出される。そのため、静止画素に対するフィルタ処理において、静止画素ではない画素の値がフィルタの出力値に影響を与えることを防止することができる。その結果、静止画素の領域が抑制領域とされることを抑制することができる。具体的には、静止画素のフレーム差分信号の値は小さいため、フィルタの出力値も小さな値となり、静止エッジを境に静止画素側の領域を非抑制領域とすることができる。
【００４０】
なお、図１１には、タップ制御ＬＰＦ部３１４が水平方向（左右方向）の１次元フィルタである場合の例を示したが、タップ制御ＬＰＦ部３１４の構成はこれに限らない。タップ制御ＬＰＦ部３１４は、垂直方向（上下方向）や斜め方向の一次元フィルタであってもよいし、２次元フィルタであってもよい。
【００４１】
図１２は、実施例３に係る抑制領域か否かの判定処理の流れの一例を説明する図である。
まず、画素毎に、１つ前のサブフレームの画像信号と現サブフレームの画像信号の差分の絶対値が算出される。また、１つ前のサブフレーム画像信号と現サブフレームの画像信号のそれぞれからエッジの画素が検出される。
そして、エッジとされた画素で、かつ、上記差分の絶対値が小さい画素に隣接する画素が静止エッジの画素として検出される。
次に、静止エッジの画素の検出結果に基づいて、上記差分の絶対値にフィルタ処理が施される。
そして、上記フィルタ処理の結果と判定閾値を比較することにより、抑制領域（及び非抑制領域）が検出される。
以上により、静止エッジを境に静止画素側の領域が非抑制領域とされる。そのため、静止画素の領域が抑制領域とされ、静止画素の領域で変化量の補償が抑制されることによる画像のひずみを抑制することができる。
【００４２】
図１３に、フレーム間で動きのある領域に対する、実施例１に係る画像処理と実施例３に係る画像処理の比較の一例を示す。図１３において、横軸は画素位置を表し、縦軸は画素値を表す。図１３は、図４と同様に、前フレームから現フレームにかけて、右（視聴者から見て左）へ動く画像領域の信号に対する画像処理の様子を示している。
実施例１の画像処理では、時間方向平滑化画像信号を用いて補償値が生成される。具体的には、時間方向平滑化画像信号に強調処理と制限処理を順に施した場合の、該制限処理による画素値の変化量が、補償値とされる。
【００４３】
実施例３の画像処理でも、時間方向平滑化画像信号を用いて補償値が生成される。但し、実施例３では、動きのある領域が検出され、生成された補償値のうち、検出された領域（動きのある領域）の信号に加算する補償値が小さくされる（具体的には、０にされる）。そのため、実施例３では、動きのある領域では変化量の補償が実施例１よりも抑制され、動きのある領域における空間的な高周波成分が実施例１よりも抑圧された高域抑圧画像信号が得られる。その結果、実施例１よりも、１つ前のサブフレームから画素値が変化した領域、すなわち、動きのある領域で２重像が視認されることが抑制され、動画視認性が改善する。
なお、実施例３の画像処理でも、動きのない領域（非抑制領域）の信号に加算する補償値が小さくされない。即ち、実施例３では、実施例１における動きのない領域に対する処理と同様の処理が行われる。その結果、動きのない領域では、表示装置に出力する高域抑制画像信号及び高域強調画像信号として、従来の処理で得られる信号と同じ信号が得られる。そのため、従来どおり高域強調画像信号と高域抑圧画像信号の平均画像信号が、入力画像信号と等しくされる。これにより、入力画像信号に基づく画像と等しく、ひずみのない静止画像が表示できる。
【００４４】
以上述べたように、本実施例によれば、表示装置に出力する高域抑圧画像信号を生成する際に、時間方向平滑化画像信号を用いて補償値が生成される。そして、生成された補償値のうち、動きのある領域の信号に加算する補償値が小さくされる。それにより、高周波成分が強調された後の画素値が規定の範囲外の値となる場合においても、動画視認性を十分に改善することができる。具体的には、実施例１よりも動画視認性を改善することができる。
【００４５】
なお、本実施例では、リミット部１０６で生成された補償値のうち、抑制領域に加算する補償値を０にする構成としたが、これに限らない。リミット部１０６で生成された補償値のうち、抑制領域に加算する補償値が小さくされればよい。非抑制領域と抑制領域の境界から抑制領域の内側に向かうにつれ、補償値の低減量が大きくされてもよい。
なお、実施例３の動きのある領域の検出方法を実施例２に適用してもよいし、実施例２の動きのある領域の検出方法を実施例３に適用してもよい。
なお、実施例１〜３で述べた各機能は、ハードウェアで実現されてもよいし、ソフトウェアで実現されてもよい。
【符号の説明】
【００４６】
１０１  フレームコンバータ部
１０２  時間方向フィルタ部
１０４  高域抑圧部
１０５  高域強調部
１０６  リミット部
１０７  加算部
１０８，２０８第２選択部
２１１，３１１補償抑制制御部
【図１】
0005559275.tif 000002
【図２】
0005559275.tif 000003
【図３】
0005559275.tif 000004
【図４】
0005559275.tif 000005
【図５】
0005559275.tif 000006
【図６】
0005559275.tif 000007
【図７】
0005559275.tif 000008
【図８】
0005559275.tif 000009
【図９】
0005559275.tif 000010
【図１０】
0005559275.tif 000011
【図１１】
0005559275.tif 000012
【図１２】
0005559275.tif 000013
【図１３】
0005559275.tif 000014